(57)【要約】【課題】第１ケースと第２ケースに囲まれる電線貫通スペースに電線を挿入する際に、第１ケースと第２ケースの双方の開口端で電線を挟持しない変流器を提供する。【解決手段】内部に第１コア５が収容され、両側の開口端２ａ，２ｂより第１コア５の端部５ａがそれぞれ露出された第１ケース２と、内部に第２コア７が収容され、両側の開口端３ａ，３ｂより第２コア７の端部７ａがそれぞれ露出された第２ケース３とを備え、第１ケース２と第２ケース３は、互いに対向する双方の開口端２ａ，２ｂ，３ａ，３ｂが離間する開放位置と互いに対向する双方の開口端２ａ，２ｂ，３ａ，３ｂが当接する閉塞位置との間で回転自在に連結された変流器１において、第１ケース２には、電線貫通スペース１０から内側開口隙間１２に電線Ｗが侵入するのを規制する規制部２０が設けられた。【選択図】図１
2010056425.tif 000002
【特許請求の範囲】
【請求項１】
内部に第１コアが収容され、両側の開口端より前記第１コアの端部がそれぞれ露出された第１ケースと、
内部に第２コアが収容され、両側の開口端より前記第２コアの端部がそれぞれ露出された第２ケースとを備え、
前記第１ケースと前記第２ケースは、互いに対向する双方の開口端が離間する開放位置と互いに対向する双方の開口端が当接する閉塞位置との間で回転自在に連結され、
開放位置では、前記第１ケースと前記第２ケースの回転支持部より近い側の双方の開口端の間に内側開口隙間が形成されると共に、前記第１ケースと前記第２ケースの回転支持部より遠い側の双方の開口端の間に電線出入口用隙間が形成され、前記電線出入口用隙間より前記第１ケースと前記第２ケースで囲まれる電線貫通スペースに電線の挿入・引き出しを行うことができ、
前記閉塞位置では、前記内側開口隙間と前記電線出入口用隙間が共に閉じ、且つ、前記第１コアと前記第２コアの両端部が接続されて前記第１コアと前記第２コアによって所定の磁路が形成される変流器において、
前記第１ケースと前記第２ケースの少なくともいずれか一方には、前記電線貫通スペースから前記内側開口隙間に電線が侵入するのを規制する規制部が設けられたことを特徴とする変流器。
【請求項２】
請求項１に記載の変流器であって、
前記規制部は、前記第１ケースと前記第２ケースの内で、電線が引き出されているケース側に設けられ、且つ、相手側ケースの外面に沿って移動するよう配置されていることを特徴とする変流器。
【請求項３】
請求項１又は請求項２に記載の変流器であって、
前記規制部の外周端の形状は、相手側ケースの開口端の最外周位置の移動軌跡に沿った円弧状であることを特徴とする変流器。
【請求項４】
請求項１〜請求項３のいずれかに記載の変流器であって、
前記第１ケースと前記第２ケースの回転支持部より遠い側の双方の開口端には、前記第１コアと前記第２コアの突出した端部よりも突出するガード部がそれぞれ設けられていることを特徴とする変流器。
【請求項５】
請求項４に記載の変流器であって、
前記第１ケースの前記ガード部と前記第２ケースの前記ガード部は、前記第１ケースと前記第２ケースの開放位置と閉塞位置との間の移動過程で、双方が相対的に適正な移動軌跡に沿って移動するべくガイドすることを特徴とする変流器。
【請求項６】
請求項１〜請求項５のいずれかに記載の変流器であって、
前記第１ケースと前記第２ケースの前記回転支持部より遠い側の双方の開口端側で、且つ、前記第１ケースと前記第２ケースの各背面には、閉塞位置で係止される単一のロック手段が設けられ、前記ロック手段は、弾性ロックアームと被ロック部から構成され、前記弾性ロックアームは、前記第１ケースと前記第２ケースの閉塞位置から開放位置への回転方向がロック解除方向とされていることを特徴とする変流器。
【請求項７】
請求項６に記載の変流器であって、
前記弾性ロックアームは、前記第１ケースと前記第２ケースの内で、電線が引き出されていないケース側に設けられたことを特徴とする変流器。
【発明の詳細な説明】
【技術分野】
【０００１】
本発明は、コアがそれぞれ内蔵され、互いに一端側が回転自在に連結された２つのケースを有し、２つのケースで囲まれる電線貫通スペースに電線を容易に貫通させたり、電線貫通スペースから電線を取り外したりできる変流器に関する。
【背景技術】
【０００２】
従来より分離型の変流器は、種々提案されている（例えば特許文献１参照）。かかる分離型の変流器の一従来例が図９〜図１１に示されている。
【０００３】
図９及び図１０において、変流器１００は、第１ケース１０１と第２ケース１０２を有し、これら第１ケース１０１と第２ケース１０２が互いの一端側で回転支持部１０３によって回転自在に連結されている。第１ケース１０１内には第１コア１０４が、第２ケース１０２内には第２コア１０５がそれぞれ収容されている。第１コア１０４及び第２コア１０５は、共に複数の積層されたＬ字状の強磁性材の板より構成されている。第１コア１０４と第２コア１０５の両端部は、それぞれ第１ケース１０１と第２ケース１０２の両側の開口端１０１ａ，１０１ｂ，１０２ａ，１０２ｂより外部に露出されている。第１コア１０４と第２コア１０５の外周にはコイル（図示せず）がそれぞれ巻装されている。第１ケース１０１には、コイルに流れる電流を取り出すための電線１２０が引き出されている。
【０００４】
第１ケース１０１と第２ケース１０２は、互いに対向する双方の開口端１０１ａ，１０１ｂ，１０２ａ，１０２ｂが離間する開放位置（図９の状態）と互いに対向する双方の開口端１０１ａ，１０１ｂ，１０２ａ，１０２ｂが当接する閉塞位置（図１０の状態）との間で回転によって変移する。
【０００５】
開放位置では、図９に示すように、第１ケース１０１と第２ケース１０２の回転支持部１０３より近い側の双方の開口端１０１ａ，１０２ａの間に内側開口隙間１１０が形成されると共に、第１ケース１０１と第２ケース１０２の回転支持部１０３より遠い側の双方の開口端１０１ｂ，１０２ｂの間に電線出入口用隙間１１１が形成される。電線出入口用隙間１１１より第１ケース１０１と第２ケース１０２で囲まれる電線貫通スペース１１３に電線Ｗを挿入したり、電線貫通スペース１１３の電線Ｗを外部に外したりできる。
【０００６】
閉塞位置では、図１０に示すように、第１ケース１０１と第２ケース１０２で囲まれる電線貫通スペース１１３が閉塞され、且つ、第１コア１０４と第２コア１０５の両端部が嵌合によって接続して方形状の閉塞磁路が形成される。
【０００７】
また、第１ケース１０１と第２ケース１０２の回転支持部１０３より遠い側の双方の開口端１０１ｂ，１０２ｂ側で、且つ、第１ケース１０１と第２ケース１０２の両側面には、図１１に詳しく示すように、閉塞位置で係止される一対のロック手段１０６が設けられている。各ロック手段１０６は、弾性ロックアーム１０７とこれが係止する被ロック部１０８とからなる。
【０００８】
次に、前記変流器１００を用いて、分電盤等内に配置された電線１２０の漏れ電流を測定する手順を説明する。変流器１００を図９の開放位置とし、電線出入口用隙間１１１より測定対象の電線（図示せず）を電線貫通スペース１１３に挿入する。電線を電線貫通スペース１１３に挿入すると、第１ケース１０１と第２ケース１０２を回転支持部１０３を支点として相対回転させ、変流器１００を図１０の閉塞位置とする。閉塞位置では、一対のロック手段１０６が共にロックされ、閉塞位置に保持される。
【０００９】
電線に漏れ電流が流れると、第１コア１０４及び第２コア１０５からなる閉塞磁路に電流に比例した磁束が発生し、この磁束に比例した電流がコイルに流れることから漏れ電流を測定できる。測定が終了すると、一対のロック手段１０６のロックを解除し、第１ケース１０１と第２ケース１０２を開放位置に相対回転し、電線貫通スペース１１３の電線を電線出入口用隙間１１１より外部に外す。
【特許文献１】特開２００１−３０７９３４号公報
【特許文献２】特開平１１−２５１１６７号公報
【発明の開示】
【発明が解決しようとする課題】
【００１０】
しかしながら、前記従来の変流器１００では、第１ケース１０１と第２ケース１０２を開放位置として電線を電線貫通スペース１１３に挿入する際に、第１ケース１０１と第２ケース１０２の回転支持部１０３より遠い側の双方の開口端１０１ｂ，１０２ｂの間に電線出入口用隙間１１１が形成されると共に第１ケース１０１と第２ケース１０２の回転支持部１０３より近い側の双方の開口端１０１ａ，１０２ａの間に内側開口隙間１１０が形成される。従って、電線貫通スペース１１３に挿入しようとした電線が内側開口隙間１１０の位置まで挿入され、この状態で第１ケース１０１と第２ケース１０２を閉塞位置とするべく相対回転すると、第１ケース１０１と第２ケース１０２の双方の開口端１０１ａ，１０２ａで電線を挟持する怒れがある。このように双方の開口端１０１ａ，１０２ａで電線を挟持する、電線に損傷（ダメージ）を与える恐れがある、第１コア及び第２コアの端部に損傷（ダメージ）を与える恐れがある、スムーズな測定作業ができない等の不具合が発生する。
【００１１】
そこで、本発明は、第１ケースと第２ケースに囲まれる電線貫通スペースに電線を挿入する際に、第１ケースと第２ケースの双方の開口端で電線を挟持されることに起因する種々の不具合を防止した変流器を提供することを目的とする。
【課題を解決するための手段】
【００１２】
第１の本発明の特徴は、内部に第１コアが収容され、両側の開口端より第１コアの端部がそれぞれ露出された第１ケースと、内部に第２コアが収容され、両側の開口端より第２コアの端部がそれぞれ露出された第２ケースとを備え、第１ケースと第２ケースは、互いに対向する双方の開口端が離間する開放位置と互いに対向する双方の開口端が当接する閉塞位置との間で回転自在に連結され、開放位置では、第１ケースと第２ケースの回転支持部より近い側の双方の開口端の間に内側開口隙間が形成されると共に、第１ケースと第２ケースの回転支持部より遠い側の双方の開口端の間に電線出入口用隙間が形成され、電線出入口用隙間より第１ケースと第２ケースで囲まれる電線貫通スペースに電線の挿入・引き出しを行うことができ、閉塞位置では、内側開口隙間と電線出入口用隙間が共に閉じ、且つ、第１コアと第２コアの両端部が接続されて第１コアと第２コアによって所定の磁路が形成される変流器において、第１ケースと第２ケースの少なくともいずれか一方には、電線貫通スペースから内側開口隙間に電線が侵入するのを規制する規制部が設けられたことを特徴とする。
【００１３】
請求項２の発明は、請求項１に記載の変流器であって、規制部は、第１ケースと第２ケースの内で、電線が引き出されているケース側に設けられ、且つ、相手側ケースの外面に沿って移動するよう配置されていることを特徴とする。
【００１４】
請求項３の発明は、請求項１又は請求項２に記載の変流器であって、規制部の外周端の形状は、相手側ケースの開口端の最外周位置の移動軌跡に沿った円弧状であることを特徴とする。
【００１５】
請求項４の発明は、請求項１〜請求項３のいずれかに記載の変流器であって、第１ケースと第２ケースの回転支持部より遠い側の双方の開口端には、第１コアと第２コアの突出した端部よりも突出するガード部がそれぞれ設けられていることを特徴とする。
【００１６】
請求項５の発明は、請求項４に記載の変流器であって、第１ケースのガード部と第２ケースのガード部は、第１ケースと第２ケースの開放位置と閉塞位置との間の移動過程で、双方が相対的に適正な移動軌跡に沿って移動するべくガイドすることを特徴とする。
【００１７】
請求項６の発明は、請求項１〜請求項５のいずれかに記載の変流器であって、第１ケースと第２ケースの回転支持部より遠い側の双方の開口端側で、且つ、第１ケースと第２ケースの各背面には、閉塞位置で係止される単一のロック手段が設けられ、ロック手段は、弾性ロックアームと被ロック部から構成され、弾性ロックアームは、第１ケースと第２ケースの閉塞位置から開放位置への回転方向がロック解除方向とされていることを特徴とする。
【００１８】
請求項７の発明は、請求項６に記載の変流器であって、弾性ロックアームは、第１ケースと第２ケースの内で、電線が引き出されていないケース側に設けられたことを特徴とする。
【発明の効果】
【００１９】
第１の本発明によれば、第１ケースと第２ケースを開放位置として電線を電線貫通スペースに挿入する際に、電線が内部側隙間に進入しようとしても、その進入が規制部によって阻止される。従って、電線が第１ケースと第２の双方の開口端で挟持されることに起因する種々の不具合を防止できる。具体的には、電線に損傷（ダメージ）を与える恐れがなく、第１コア及び第２コアの端部に損傷（ダメージ）に与える恐れがなく、スムーズな測定作業が可能である。
【００２０】
第２の本発明によれば、作業者は電線が引き出されているケース側を固定し、電線が引き出されていないケース側を回転操作する方が回転操作し易く、このような操作形態では規制部も固定側となり、作業者が規制部を保持している場合にもケース間の相対的回転を行うことができるため、操作性が良い。
【００２１】
第３の本発明によれば、相手側ケースのあらゆる移動位置にあって、その開口端の最外周位置が規制部によって規制されるため、電線の内側開口隙間への進入を確実に阻止することができる。
【００２２】
第４の本発明によれば、第１ケースと第２ケースを開放位置として電線を電線貫通スペースに挿入する際や、電線貫通スペースの電線を外部に外す際に、第１コアや第２コアの端部に電線が接触する前にガード部に接触するため、電線が第１コアや第２コアの端部に損傷（ダメージ）を与える事態を防止できる。
【００２３】
第５の本発明によれば、双方のガード部のガイドによって第１コアと第２コアが適正な位置で接続されるため、漏れ磁束を極力防止でき、極力適正な測定ができる。特に、第１コアの端部と第２コアの端部が積層された強磁性材の隙間に嵌合することによって接続されるものにあっては、確実に嵌合させることができる。
【００２４】
第６の本発明によれば、第１ケースと第２ケースが閉塞位置にあって、単一の弾性ロックアームをロック解除方向に操作すれば、第１ケースと第２ケースを閉塞位置から開放位置に移動させることができるため、作業者は片手での操作が可能となり、操作性が良い。
【００２５】
第７の本発明によれば、作業者は電線が引き出されているケース側を固定し、電線が引き出されていないケース側を回転操作する方が回転操作し易く、このような操作形態によってロック解除できるため、更に操作性が良い。
【発明を実施するための最良の形態】
【００２６】
以下、本発明の実施の形態を図面に基づいて説明する。
【００２７】
図１〜図８は本発明の実施の形態を示し、図１は変流器の開放状態の斜視図、図２は第１ケースと第２ケースが閉塞位置である変流器の正面図、図３は第１ケースと第２ケースが開放位置である変流器の正面図、図４は第１ケースと第２ケースの回転支持部より近い側の双方の開口端の周辺を示す要部斜視図、図５は第１ケースの回転支持部より遠い側の開口端に周辺を示す要部斜視図、図６は第２ケースの回転支持部より遠い側の開口端に周辺を示す要部斜視図、図７は双方のガード部が互いにガイドしている状態を示す要部平面図、図８は変流器の使用状態を示す斜視図である。
【００２８】
図１〜図３に示すように、変流器１は、第１ケース２と第２ケース３とを有する。この第１ケース２と第２ケース３は、互いの一端側が回転支持部４によって回転自在に連結されている。第１ケース２と第２ケース３は、図示されていないが、それぞれ２つの分割ケース部材が組み付けされることによって構成されている。第１ケース２と第２ケース３は、互いに対向配置される面に半円弧状の窪み面２ｃ，３ｃを有し、この双方の半円弧状の窪み面２ｃ，３ｃに囲まれて、下記する電線貫通スペース１０が形成される。又、第１ケース２と第２ケース３は、互いに対向配置される面で、且つ、半円弧状の窪み面２ｃ，３ｃの両側に開口端２ａ，２ｂ，３ａ，３ｂを有し、この両側の開口端２ａ，２ｂ，３ａ，３ｂより第１ケース２と第２ケース３の内部がそれぞれ開口されている。
【００２９】
第１ケース２の内部には、第１コア５とこれの三方面を被う第１シールド板６とが配置されている。第２ケース３の内部にも、第２コア７とこれの三方面を被う第２シールド板８が配置されている。第１コア５及び第２コア７は、積層された複数のＬ字状の強磁性材の板によってそれぞれ構成されている。第１コア５と第２コア７の両端部５ａ，７ａは、図３〜図５に示すように、積層された強磁性材の板の両端位置が交互に突出位置と退出位置を繰り返すことによって櫛刃状に設けられている。第１コア５の櫛刃状の両端部５ａは、第１ケース２の両側の開口端２ａ，２ｂよりそれぞれ突出状態で露出されている。第２コア７の櫛刃状の両端部７ａは、第２ケース３の両側の開口端３ａ，３ｂよりそれぞれ突出状態で露出されている。そして、第１コア５の櫛刃状の端部５ａとこれに対向する第２コア７の櫛刃状の端部７ａは、適正な位置で配置されると互いの強磁性材板同士が噛み合うよう設定されている。
【００３０】
又、第１コア５と第２コア７の外周にはコイル（図示せず）がそれぞれ巻き付けされている。これらコイルの両端には、コイル内に流れる電流を導くための電線９が接続され、この電線９が第１ケース２の電線引き出し部１１より引き出されている。
【００３１】
第１ケース２と第２ケース３は、互いに対向する双方の開口端２ａ，２ｂ，３ａ，３ｂが離間する開放位置（図１、図３の状態）と互いに対向する双方の開口端２ａ，２ｂ，３ａ，３ｂが当接する閉塞位置（図２の状態）との間で回転によって変移する。
【００３２】
開放位置では、図１、図３に示すように、第１ケース２と第２ケース３の回転支持部４より近い側の双方の開口端２ａ，３ａの間に内側開口隙間１２が形成されると共に、第１ケース２と第２ケース３の回転支持部４より遠い側の双方の開口端２ｂ，３ｂの間に電線出入口用隙間１３が形成される。電線出入口用隙間１３より第１ケース２と第２ケース３で囲まれる電線貫通スペース１０に電線Ｗを挿入したり、電線貫通スペース１０の電線Ｗを外部に外したりできる。
【００３３】
閉塞位置では、図２に示すように、第１ケース２と第２ケース３で囲まれる電線貫通スペース１０が閉塞され、且つ、第１コア５と第２コア７の両端部５ａ、７ａが嵌合によって接続される。これによって、第１コア５と第２コア７によって閉塞磁路が形成される。この閉塞磁路は、その内周面を除く全周面が第１シールド板６と第２シールド板８で遮蔽される。
【００３４】
図１、図４に詳しく示すように、第１ケース２と第２ケース３の回転支持部４より近い側の双方の開口端２ａ，３ａの周辺には、電線貫通スペース１０から内側開口隙間１２に電線Ｗが侵入するのを規制する一対の規制部２０が設けられている。一対の規制部２０は、電線引き出し部１１を有する第１ケース２に設けられている。一対の規制部２０は、第２ケース３の外面に沿って移動するよう配置されている。各規制部２０の外周端２０ａの形状は、第２ケース３の開口端３ａの最外周位置の移動軌跡に沿った円弧状である。
【００３５】
図５及び図６に詳しく示すように、第１ケース２と第２ケース３の回転支持部４より遠い側の双方の開口端２ｂ，３ｂには、一対の第１ガード部２１と一対の第２ガード部２２が設けられている。一対の第１ガード部２１と一対の第２ガード部２２は、第１ケース２と第２ケース３にそれぞれ設けられている。一対の第１ガード部２１と一対の第２ガード部２２は、正面から見た場合、各第１コア５と第２コア７の突出した端部５ａ，７ａよりもそれぞれ突出されている（図３参照）。しかし、開放位置における第１ガード部２１と第２ガード部２２の最小幅Ｄ２は、電線貫通スペース１０の直径Ｄ１（図２に示す）より大きな寸法に設定されている。又、一対の第１ガード部２１と一対の第２ガード部２２は、図７に示すように、第１ケース２と第２ケース３の開放位置と閉塞位置との間の回転過程で、双方が相対的に適正な移動軌跡に沿って移動するべく互いにガイドするように設定されている。より詳細には、第１及び第２ガード部２１，２２は、そのオーバーラップする回転過程では、一対の第１ガード部２１の外面に一対の第２ガード部２２の内面が摺動する。
【００３６】
図５及び図６に詳しく示すように、第１ケース２と第２ケース３の回転支持部４より遠い側の双方の開口端２ｂ，３ｂ側には、単一のロック手段２３が設けられている。単一のロック手段２３は、第２ケース３の背面側に設けられた弾性ロックアーム２４と、第１ケース２の背面側に設けられ、弾性ロックアーム２４が係止する被ロック部２５とから構成されている。弾性ロックアーム２４は、第２ケース３の閉塞位置から開放位置への回転方向Ｒ１がロック解除方向Ｆとされている。弾性ロックアーム２４は、電線引出し部１１が設けられていない第２ケース３に設けられている。
【００３７】
次に、前記変流器１を用いて、分電盤等内に配置された電線Ｗの漏れ電流を測定する手順を説明する。電線Ｗは、図８に示すように、通常では分電盤等の内部で縦方向に配策されている。
【００３８】
変流器１を図１、図３の開放位置とし、電線出入口用隙間１３より測定対象の電線Ｗを電線貫通スペース１０に挿入する。電線Ｗを電線貫通スペース１０に挿入すると、第１ケース２と第２ケース３を回転支持部４を支点として相対回転させ、変流器１を図２の閉塞位置とする。閉塞位置では、単一のロック手段２３の弾性ロックアーム２４が撓み復帰変形することによってロックされ、閉塞位置に保持される（図８参照）。
【００３９】
電線Ｗに漏れ電流が流れると、第１コア５及び第２コア７からなる閉塞磁路に電流に比例した磁束が発生し、この磁束に比例する電流がコイル（図示せず）に流れることから漏れ電流を測定できる。測定が終了すると、作業者が単一のロック手段２３のロックを解除し、第１ケース２と第２ケース３を開放位置に相対回転し、電線貫通スペース１０の電線Ｗを電線出入口用隙間１３より外部に外す。
【００４０】
本変流器１は、受電変圧器の低圧側電路における対地絶縁抵抗を該電路と大地を介してＢ種接地線に環流する漏れ電流により監視する絶縁監視装置に適用できる。
【００４１】
以上、前記変流器１では、第１ケース２には、電線貫通スペース１０から内側開口隙間１２に電線Ｗが侵入するのを規制する一対の規制部２０が設けられている。従って、第１ケース２と第２ケース３を開放位置として電線Ｗを電線貫通スペース１０に挿入する際に、電線Ｗが内側開口隙間１２に進入しようとしても、その進入が規制部２０によって阻止される。従って、電線Ｗが第１ケース２と第２ケース３の双方の開口端２ａ，３ａで挟持されることに起因する種々の不具合を防止できる。具体的には、電線Ｗに損傷（ダメージ）を与える恐れがなく、第１コア５及び第２コア７の端部５ａ，７ａに損傷（ダメージ）を与える恐れがなく、スムーズな測定作業が可能である。
【００４２】
又、一対の規制部２０は、内側開口隙間１２へのゴミ等の侵入を阻止する機能をも有するため、ゴミ等による第１コア５と第２コア７間の接続部、つまり、端部５ａ，７ａの漏れ磁束を極力防止できる。特に、図８に示すように、電線Ｗが垂直に配策されている場合にゴミ等の侵入防止に役立つ。
【００４３】
一対の規制部２０は、電線Ｗが引き出されている第１ケース２に設けられ、且つ、相手側の第２ケース３の外面に沿って移動するよう配置されている。従って、作業者は電線Ｗが引き出されている第１ケース２側を固定し、電線Ｗが引き出されていない第２ケース３側を回転操作する方が回転操作し易く、このような操作形態では規制部２０も固定側となり、作業者が規制部２０を保持している場合にも第１ケース２と第２ケース３間の相対的回転を行うことができるため、操作性が良い。
【００４４】
尚、一対の規制部２０は、第２ケース３に設けても良く、又、第１ケース２と第２ケース３に双方に設けても良い。
【００４５】
各規制部２０の外周端２０ａの形状は、第２ケース３の開口端３ａの最外周位置の移動軌跡に沿った円弧状である。従って、第２ケース３のあらゆる移動位置にあって、その開口端３ａの最外周位置が規制部２０によって規制されるため、電線Ｗの内側開口隙間１２への進入を確実に阻止することができる。
【００４６】
第１ケース２と第２ケース３の回転支持部４より遠い側の双方の開口端２ｂ，３ｂには、第１コア５と第２コア７の突出した端部５ａ，７ａよりも突出する第１及び第２ガード部２１，２２がそれぞれ設けられている。従って、第１ケース２と第２ケース３を開放位置として電線Ｗを電線貫通スペース１０に挿入する際や、電線貫通スペース１０の電線Ｗを外部に外す際に、第１コア５や第２コア７の端部５ａ，７ａに電線Ｗが接触する前に第１及び第２ガード部２１，２２に接触するため、電線Ｗが第１コア５や第２コア７の端部５ａ，７ａに損傷（ダメージ）を与える事態を防止できる。
【００４７】
第１ケース２の第１ガード部２１と第２ケース３の第２ガード部２２は、第１ケース２と第２ケース３の開放位置と閉塞位置との間の回転過程で、双方が相対的に適正な移動軌跡に沿ってガイドしつつ移動するよう構成されている。従って、第１及び第２ガード部２１，２２のガイドによって第１コア５と第２コア７が適正な位置で接続されるため、漏れ磁束を極力防止でき、極力適正な測定ができる。特に、第１コア５と第２コア７が強磁性材の板を交互に位置ずれされた状態で積層されたものであり、第１コア５の端部５ａと第２コア７の端部７ａが積層された強磁性材の隙間に嵌合することによって接続されるものにあっては、確実に嵌合させることができる。
【００４８】
又、第１ガード部２１及び第２ガード部２２は、電線出入口用隙間１３へのゴミ等の侵入を阻止する機能をも有するため、ゴミ等による第１コア５と第２コア７間の接続部、つまり、端部５ａ，７ａの漏れ磁束を極力防止できる。特に、図８に示すように、電線Ｗが垂直に配策されている場合にゴミ等の侵入防止に役立つ。
【００４９】
第１ケース２と第２ケース３の回転支持部４より遠い側の双方の開口端２ｂ，３ｂ側で、且つ、第１ケース２と第２ケース３の各背面には、閉塞位置で係止される単一のロック手段２３が設けられ、ロック手段２３は、弾性ロックアーム２４と被ロック部２５から構成され、弾性ロックアーム２４は、第１ケース２と第２ケース３の閉塞位置から開放位置への回転方向Ｒ１がロック解除方向Ｆとされている。従って、第１ケース２と第２ケース３が閉塞位置にあって、単一の弾性ロックアーム２４をロック解除方向Ｆに操作すれば、第１ケース２と第２ケース３を閉塞位置から開放位置に移動させることができるため、作業者は片手での操作が可能となり、操作性が良い。
【００５０】
弾性ロックアーム２４は、電線９が引き出されていない第２ケース３に設けられている。従って、作業者は電線９が引き出されている第１ケース２側を固定し、電線９が引き出されていない第２ケース３側を回転操作する方が回転操作し易く、このような操作形態によってロック解除できるため、更に操作性が良い。
【図面の簡単な説明】
【００５１】
【図１】本発明の実施形態を示し、変流器の開放状態の正面図である。
【図２】本発明の実施形態を示し、第１ケースと第２ケースが閉塞位置である変流器の正面図である。
【図３】本発明の実施形態を示し、第１ケースと第２ケースが開放位置である変流器の正面図である。
【図４】本発明の実施形態を示し、第１ケースと第２ケースの回転支持部より近い側の双方の開口端の周辺を示す要部斜視図である。
【図５】本発明の実施形態を示し、第１ケースの回転支持部より遠い側の開口端に周辺を示す要部斜視図である。
【図６】本発明の実施形態を示し、第２ケースの回転支持部より遠い側の開口端に周辺を示す要部斜視図である。
【図７】本発明の実施形態を示し、双方のガード部が互いにガイドしている状態を示す要部平面図である。
【図８】本発明の実施形態を示し、変流器の使用状態を示す斜視図である。
【図９】従来例を示し、第１ケースと第２ケースが開放位置である変流器の正面図である。
【図１０】従来例を示し、第１ケースと第２ケースが閉塞位置である変流器の正面図である。
【図１１】従来例の一対のロック手段を示す側面図である。
【符号の説明】
【００５２】
１  変流器
２  第１ケース
２ａ，２ｂ  開口端
３  第２ケース
３ａ，３ｂ  開口端
４  回転支持部
５  第１コア
７  第２コア
１０  電線貫通スペース
１２  内側開口隙間
１３  電線出入口隙間
Ｗ  電線
【図１】
2010056425.tif 000003
【図２】
2010056425.tif 000004
【図３】
2010056425.tif 000005
【図４】
2010056425.tif 000006
【図５】
2010056425.tif 000007
【図６】
2010056425.tif 000008
【図７】
2010056425.tif 000009
【図８】
2010056425.tif 000010
【図９】
2010056425.tif 000011
【図１０】
2010056425.tif 000012
【図１１】
2010056425.tif 000013